(57)【特許請求の範囲】
【請求項１】
車椅子の左右前縁フレームにステップの支持フレームを夫々取付けるための軸受ユニットを夫々取付けた構成であって、該軸受ユニットは一対の半筒体状分割部分に二分割されており、上下両端にはボルト孔を設けた半フランジが形成されており、一方の分割部分の上下両端の半フランジには夫々軸ピンを立設したピン台が突設されており、更に該分割部分には固定ボルト孔が形成されており、該一対の分割部分は該車椅子の左右の前縁フレームを挟んで合一され、該半フランジのボルト孔を介してボルトとナットとによって締付け固定されることによって該軸受ユニットが構成され、該軸受ユニットは該前縁フレームの所定の上下位置において一方の分割部分の該固定ボルト孔から固定ボルトを螺着し締付けることによって該軸受ユニットを該前縁フレームに上下位置調節可能かつ該前縁フレームを軸として回転角度調節可能に取付けられており、該軸受ユニットの上下両端のピン台の軸ピンには左右のステップの支持フレームに取付けられている軸受ブラケットの上下一対の軸受ベースの軸孔を夫々上側から回転可能かつ取外し可能に嵌着し、該左右のステップの支持フレームの下部には前方に向けてステップの取付け軸を夫々取付け、該取付け軸にはステップを夫々跳ね上げ可能に取付け、該ステップの支持フレームは車椅子前方に向けたステップ使用状態から外側方向に略１８０°に回転した側方排除状態まで回動可能にされており、該支持フレームに取付けられている軸受ブラケットの後縁中央部には二股状突出部が形成されており、該突出部には先端部が外側に若干弯曲されている爪状の係止片が取付けられており、該係止片の中央部には該軸受ユニットの内側に螺着されている係止ボルトの頭部が貫通可能な係止孔が設けられ、該係止片の根端部はボルト孔を介して固定ボルトによって固定されかつ該係止片は該固定ボルトの外周に嵌着したコイルバネによって該二股状突出部に密接する方向に付勢されており、ステップの支持フレームが車椅子前方に向いたステップ使用状態では、該係止片の係止孔に該軸受ユニットのボルト頭部が嵌り込むことによって、該支持フレームがロックされることを特徴とする車椅子のステップ取付け構造。
【発明の詳細な説明】
【０００１】
【発明の属する技術分野】
本発明は車椅子のステップ取付け構造に関するものである。
【０００２】
【従来の技術】
図１０に示すように車椅子(1) の左右前縁フレーム(2) にはステップ(3) の支持フレーム(4) が夫々回転自在に取付けられている。該支持フレーム(4) は夫々図１０に示す水平使用状態からステップ(3) を跳ね上げ、図１１に示す側方排除状態まで外側に略１８０°回転する。このようなステップ支持フレーム(4) の回動動作をステップのスイングアウトと言う。従来、このようなスイングアウト方式のステップ取付け構造においては、図１２に示すように、車椅子(1) の前縁フレーム(2) に上下二段ピンブラケット(5,5) を溶接し、該ピンブラケット(5,5) のピン(6,6) に該支持フレーム(4) の軸受ブラケット(7,7) の軸孔(8,8) を回転可能に嵌着することによって、該ステップ(3) の支持フレーム(4) を前縁フレーム(2) に回転自在に、スイングアウト可能に取付けている。
【０００３】
【発明が解決しようとする課題】
車椅子(1) の座部(9) の高さは身体に障害を持つ人や老人のような使用者の体形に合わせて種々に設定されているが、該ステップ(3) の支持フレーム(4) を取付けるピンブラケット(5,5) は、車椅子(1) 毎に座部(9) の高さに対応した位置において前縁フレーム(2) に溶接によって固定されることが必要であり、したがってこのような溶接によって生じる歪が原因となって該前縁フレーム(2) との平行度の狂いが発生したり、ピンブラケット(5,5) の軸芯の狂いが発生して組付けが困難となるために溶接作業が大量生産のネックとなっている。
【０００４】
【課題を解決するための手段】
本発明は上記従来の課題を解決するための手段として、車椅子(1)の左右前縁フレーム(2)にステップ(3)の支持フレーム(4)を夫々取付けるための軸受ユニット(10)を夫々取付けた構成であって、該軸受ユニット(10)は一対の半筒体状分割部分(11,12)に二分割されており、上下両端にはボルト孔(19,20)を設けた半フランジ(14A,14B)が形成されており、一方の分割部分(11)の上下両端の半フランジ(14A,14B)には夫々軸ピン(16,16)を立設したピン台(15,15)が突設されており、更に該分割部分(11)には固定ボルト孔(17)が形成されており、該一対の分割部分(11,12)は該車椅子(1)の左右の前縁フレーム(2)を挟んで合一され、該半フランジ(14A)のボルト孔(19)を介してボルト(21A)とナット(21B)とによって締付け固定されることによって該軸受ユニット(10)が構成され、該軸受ユニット(10)は該前縁フレーム(2)の所定の上下位置において一方の分割部分(12)の該固定ボルト孔(17)から固定ボルト(22)を螺着し締付けることによって該軸受ユニット(10)を該前縁フレーム(2)に上下位置調節可能かつ該前縁フレーム(2)を軸として回転角度調節可能に取付けられており、該軸受ユニット(10)の上下両端のピン台(15,15)の軸ピン(16,16)には左右のステップ(3)の支持フレーム(4)に取付けられている軸受ブラケット(26)の上下一対の軸受ベース(18)の軸孔(27A)を夫々上側から回転可能かつ取外し可能に嵌着し、該左右のステップ(3)の支持フレーム(4)の下部には前方に向けてステップ(3)の取付け軸(24)を夫々取付け、該取付け軸(24)にはステップ(3)を夫々跳ね上げ可能に取付け、該ステッ プ(3)の支持フレーム(4)は車椅子前方に向けたステップ(3)使用状態から外側方向に略１８０°に回転した側方排除状態まで回動可能にされており、該支持フレーム(4)に取付けられている軸受ブラケット(26)の後縁中央部には二股状突出部(28)が形成されており、該突出部(28)には先端部(29A)が外側に若干弯曲されている爪状の係止片(29)が取付けられており、該係止片(29)の中央部には該軸受ユニット(10)の内側に螺着されている係止ボルト(23)の頭部(23A)が貫通可能な係止孔(30)が設けられ、該係止片(29)の根端部はボルト孔(31)を介して固定ボルト(32)によって固定されかつ該係止片(29)は該固定ボルト(32)の外周に嵌着したコイルバネ(33)によって該二股状突出部(28)に密接する方向に付勢されており、ステップ(3)の支持フレーム(4)が車椅子(1)前方に向いたステップ使用状態では、該係止片(29)の係止孔(39)に該軸受ユニット(10)のボルト頭部(23A)が嵌り込むことによって、該支持フレーム(4)がロックされる車椅子(1) のステップ取付け構造を提供するものである。
【０００５】
【発明の実施の形態】
本発明を図１〜図９に示す一実施の形態によって説明すれば、車椅子(1) の左右前縁フレーム(2) には軸受ユニット(10)を介してステップ(3) の支持フレーム(4)が夫々回転自在に取付けられている。
該軸受ユニット(10)はプラスチック、金属からなり、図２に示すように一対の分割部分(11,12) に二分割されており、各分割部分(11,12) は半筒体であってその内側には縦方向に凹溝(13A,13B) が形成されており、上下両端には半フランジ(14A,14B) が形成されており、一方の分割部分(11)の上下両端の半フランジ(14A,14A) には夫々ピン台(15,15) が突設されており、該ピン台(15,15) には軸ピン(16,16) が立設されており、更に上端の半フランジ(14A) の外側直下には固定ボルト孔(17)を形成したボルトベース(18)が形成されている。
【０００６】
各分割部分(11,12) の半フランジ(14A,14B) には更にボルト孔(19,20) が設けられており、該一対の分割部分(11,12) は車椅子(1) の左右の前縁フレーム(2)を挟んで合一され、半フランジ(14A,14B) のボルト孔(19,20) を介してボルト(21A) とナット(21B) とによって締付け固定され、このようにして図３に示すように軸受ユニット(10)が構成され、該一対の分割部分(11,12) の凹溝(13A,13B) によって前縁フレーム(2) が貫通する貫通孔(13)が形成され、半フランジ(14A,14B) によってフランジ(14)が形成される。
【０００７】
そして一方の分割部分(11)の上端の半フランジ(14A) の直下のボルトベース(18)の固定ボルト孔(17)から固定ボルト(22)を螺着し、該軸受ユニット(10)を車椅子(1) の座部(9) の高さに対応した上下位置に調節した後、該固定ボルト(22)を締付け、該固定ボルト(22)先端を該前縁フレーム(2) 外周に圧接することによって、該軸受ユニット(10)をその位置に固定する。更に該軸受ユニット(10)の内側、即ち分割部分(12)には係止ボルト (23)が螺着されている。
【０００８】
左右ステップ(3) の支持フレーム(4) は夫々主フレーム(4A)と、該主フレーム(4A)をバックアップする副フレーム(4B)とからなり、該主フレーム(4A)の下端には前方に向けてステップ取付け軸(24)が取付けられ、該取付け軸(24)にはステップ(3) の根端の軸受(25)が回動可能に嵌着され、このようにして該ステップ(3) は上方へ跳ね上げ可能に支持フレーム(4) に取付けられている。
【０００９】
更に左右ステップ(3) の支持フレーム(4) の副フレーム(4B)の背面には軸受ブラケット(26)が夫々取付けられており、該軸受ブラケット(26)の外側上下両端には軸孔(27A) が設けられている軸受ベース(27,27) が夫々取付けられており、図４に示すように該上下の軸受ベース(27,27) の軸孔(27A) を該軸受ユニット(10)の上下のピン台(15,15) のピン軸(16,16) に夫々上側から回転自在に嵌着することによって該支持フレーム(4) は該軸受ユニット(10)を介して車椅子(1) の前縁フレーム(2) に着脱可能に取付けられている。
【００１０】
図５に示すように該軸受ブラケット(26)の後縁中央部には二股状突出部(28)が形成されており、該突出部(28)には係止片(29)が取付けられている。該係止片(29)は爪状であって先端部(29A) は外側に若干弯曲されており、中央部には軸受ユニット(10)の係止ボルト(23)の頭部(23A) が貫通可能な係止孔(30)が設けられ、根端部には固定ボルト(32)が貫通可能なボルト孔(31)の一対が設けられており、該固定ボルト(32)の外周にコイルバネ(33)を嵌着した上で、該固定ボルト(32)を該係止片(29)のボルト孔(31)に夫々貫通し、該固定ボルト(32)を軸受ブラケット (26)のボルト孔(34,34) に夫々螺着することによって該係止片(29)は軸受ブラケット(26)の二股状突出部(28)上に該突出部(28)に密接する方向に付勢された状態で取付けられている。
【００１１】
上記構成において、軸受ユニット(10)のピン(16)を中心として、図６に示すようにステップ(3) 使用状態にステップ支持フレーム(4) を回動させると（図３矢印イ）、該支持フレーム(4) の軸受ブラケット(26)に取付けてある係止片(29)の先端部(29A) が、前縁フレーム(2) の軸受ユニット(10)の係止ボルト(23)の頭部(23A) に当接し、該係止片(29)は該先端部(29A) を介して該係止ボルト頭部(23A) によって図７に示すように矢印ロ方向に排斥され、次いで図８に示すように係止ボルト頭部(23A) が該係止片(29)の係止孔(30)の位置に達した時、コイルバネ(33)の付勢力によって該係止ボルト頭部(23A) は該係止片(29)の係止孔(30)に嵌まり込む。
【００１２】
このようにしてステップ(3) は図６に示すステップ支持フレーム(4)が車椅子方向に向いた使用状態でロックされるが、この状態からステップ(3) を跳ね上げ、かつ該係止片(29)を図７矢印ロ方向へ引張れば、該係止片(29)の係止孔(30)から係止ボルト頭部(23A) が外れロックが解除され、ステップ(3) の支持フレーム(4) は図６および図９矢印ハ方向（外側方向）に略１８０°回動させてスイングアウトし、図９に示すように車椅子(1) の側方へ排除した状態となり、ステップ(3) の支持フレーム(4) は、軸受ユニット(10)のピン台(15)の軸ピン(16)より該支持フレーム(4) の軸受ブラケット(26)の軸受ベース(27)の軸孔(27A) を抜き出すことによって該軸受ユニット(10)から取外すことが出来る。
【００１３】
本発明は上記実施の形態に限定されるものではなく、例えば車椅子(1) の前縁フレーム(2) に縦方向に複数個のボルト貫通孔を列設しておき、軸受ユニット(10)を固定するボルト(22)を該貫通孔のうちの所定のものに貫通して、該軸受ユニットを所定の上下位置に固定してもよい。
【００１４】
【発明の効果】
本発明では車椅子の左右の前縁フレームに ステップ支持フレームを回動可能に取付けるための軸受ユニットを、上下位置調節可能かつ前縁フレームを中心とした回転角度調節可能に取付けるので、車椅子 の座部の如何なる高さにも該軸受ユニットの上下位置を対応させることが出来、種々の高さの座部を有する車椅子毎にステップ取付機構の溶接作業を行なうと言 う大量生産のネックとなる従来の問題点が解消される。
【図面の簡単な説明】
図１〜図９は本発明の実施例を示すものである。
【図１】  車椅子前部側面図
【図２】  軸受ユニット分解斜視図
【図３】  軸受ユニット平面図
【図４】  軸受ユニット取付部外側面図
【図５】  ロック機構分解斜視図
【図６】  ステップ使用状態車椅子前部平面図
【図７】  ロック機構平面図
【図８】  軸受ユニット取付部内側面図
【図９】  ステップ側方排除状態説明図  図１０〜図１２は従来例を示すものである。
【図１０】  ステップ使用状態車椅子側面図
【図１１】  ステップ跳ね上げ側方排除状態の車椅子側面図
【図１２】  ステップ支持フレーム取付け部分斜視図
【符号の説明】
1              車椅子
2              前縁フレーム
3              ステップ
4              支持フレーム
10             軸受ユニット
11,12          分割部分
13             貫通孔
15             ピン台
16             軸ピン
22             ボルト
24             取付け軸
26             軸受ブラケット
27A            軸孔
【図１】
0003960659.tif 000002
【図２】
0003960659.tif 000003
【図３】
0003960659.tif 000004
【図４】
0003960659.tif 000005
【図５】
0003960659.tif 000006
【図６】
0003960659.tif 000007
【図７】
0003960659.tif 000008
【図８】
0003960659.tif 000009
【図９】
0003960659.tif 000010
【図１０】
0003960659.tif 000011
【図１１】
0003960659.tif 000012
【図１２】
0003960659.tif 000013